(57)【特許請求の範囲】
【請求項１】
器具本体と、
前記器具本体に収容されるランプを支持するソケットと、
前記器具本体の連通孔に連結されて前記ソケットを被覆する被覆部と、
前記被覆部の内側において前記器具本体に対して前記ソケットを移動させる移動手段とを備え、
前記ランプは、前記ソケットを介してランプホルダによって保持され、かつ、前記ランプの中心軸は、前記器具本体の頂部に固着されている天板に対して傾斜しており、
前記ランプホルダが前記天板の延在方向である水平方向にスライド移動することで、前記天板に対して傾斜している前記ランプが水平方向に移動し、
かつ、前記被覆部に設けられた配線用の貫通孔がテーパ孔であることを特徴する照明器具。
【発明の詳細な説明】
【技術分野】
【０００１】
本発明は照明器具に係り、特に照明器具内に、例えば虫などの小動物が侵入するのを防止する侵入防止機構を有する照明器具に関する。
【背景技術】
【０００２】
天井などに設置される照明器具は、虫などの小動物がランプの光に誘導されて照明器具内に侵入し、外に出られなくなってパネルやセードなどのカバー内に死骸となって溜まることがある。また、パネルやセードなどのカバーが設置されないタイプの照明器具においては、天井裏から侵入した虫などが室内に入り込む可能性があり、使用者に不快感を与えるなど、好ましくなかった。
【０００３】
従来より、建物の軒先に設けられるダウンライト等、屋外に設置される照明器具において、小さな虫などが天井裏から照明器具本体内に侵入するのを防止するようにした照明器具が提供されている（例えば特許文献１参照）。特許文献１に記載の照明器具は、ランプを収容する器具本体の開口部や隙間部を、パネルやパッキンなどで密閉すると共に、紫外線域をカットする低誘虫パネルを下面パネルとして設置して、器具本体内への虫などの侵入防止を図っている。
【特許文献１】特開２００６−２３６６６１号公報
【発明の開示】
【発明が解決しようとする課題】
【０００４】
特許文献１に記載の照明器具は、器具本体とランプソケットとの相対位置が固定されており、特定（単一）種類のランプのみが装着可能な照明器具を対象として、虫などの侵入防止を図った照明器具である。このように、単一種類のランプのみを装着する照明器具は、構造が比較的簡単であり、従って隙間が少なく、防虫対策も容易となる。
【０００５】
ところで、光出力によりバルブ長が異なるランプが知られている。これらのようなランプを選択的に取り付けて効果的に照明するためには、バルブ中心を反射鏡の中央に配置する必要がある。このようなバルブ長が異なるランプを取り付け可能な照明器具としては、ランプを取り付けるソケットを、本体に対して相対的に移動可能とした照明器具が考えられる。しかし、この場合、器具本体に対してソケットを出没させるための大径の貫通孔が必要となり、この開口箇所から虫等が侵入する虞がある。
【０００６】
本発明は、前述した問題点に鑑みてなされたものであり、その目的は、器具本体に対してソケットを相対的に移動可能として、バルブ長が異なる複数種類のランプを装着可能にすると共に、虫などの小動物が照明器具内に侵入するのを防止して、メンテナンスフリーにすると共に、使用者に不快な思いをさせないようにして、照明器具の性能向上を図った照明器具を提供することにある。
【課題を解決するための手段】
【０００７】
前述した目的を達成するために、本発明は、器具本体と、前記器具本体に収容されるランプを支持するソケットと、前記器具本体の連通孔に連結されて前記ソケットを被覆する被覆部と、前記被覆部の内側において前記器具本体に対して前記ソケットを移動させる移動手段とを備え、前記ランプは、前記ソケットを介してランプホルダによって保持され、かつ、前記ランプの中心軸は、前記器具本体の頂部に固着されている天板に対して傾斜しており、前記ランプホルダが前記天板の延在方向である水平方向にスライド移動することで、前記天板に対して傾斜している前記ランプが水平方向に移動し、かつ、前記被覆部に設けられた配線用の貫通孔がテーパ孔であることを特徴としている。
【０００８】
このように構成された照明器具においては、被覆部の内側において器具本体に対してソケットが移動可能であるため、バルブ長が異なる複数種類のランプを選択的に用いても、ランプの中心を器具本体の中央に配置することができ、ランプの種類に合わせた最適な照明を行うことができる。また、ソケットが被覆部により覆われるため、照明器具内への虫等の侵入を防止できる。
このように構成された照明器具においては、配線用の貫通孔がテーパ孔であるので、器具本体に対するソケットの位置に関わらず、貫通孔からの虫の侵入を効果的に防止することができる。
【発明の効果】
【００１１】
本発明によれば、被覆部の内側において器具本体に対してソケットが移動可能であるため、バルブ長が異なる複数種類のランプを選択的に用いても、ランプの中心を器具本体の中央に配置することができ、従来のような単一のランプにしか対応できないという問題を解消でき、これによりランプの種類に合わせて最適な照明を行うことができるという効果が得られる。また、ソケットが被覆部により覆われるため、照明器具内への虫等の侵入を防止して、使用者に不快な思いをさせないようにすると共に、掃除の手間を最小限に低減することができる。
【発明を実施するための最良の形態】
【００１２】
以下、本発明に係る実施形態を図面に基づいて詳細に説明する。図１は本発明に係る照明器具の側面図、図２は斜め下方から見た照明器具の部分破断斜視図、図３は被覆部を断面にして示す照明器具の要部側面図、図４は図１に示す円Ａで囲まれた部分を斜め下方から見た斜視図、図５は配線用貫通孔を示す被覆部の要部断面図である。
【００１３】
図１に示すように、本発明の照明器具１０は、器具本体１１と、ランプ１３を支持するソケット１２と、ソケット１２を被覆する被覆部１４と、ソケット１２を移動させる移動手段１５と、を備える。
【００１４】
図１および図２に示すように、器具本体１１は、略円筒形状に形成されて下面に開口１６を有する下カバー部１７と、外方に向けてやや膨らみを持つ略円錐台形状に形成された上カバー部１８とが、連続して一体形成されており、天井穴１９に埋設される。
【００１５】
器具本体１１の側面（図１および図２において、左側面）には、ランプ１３を挿入するための連通孔２１が形成されている。連通孔２１は、器具本体１１の頂面１１ａに開口する略Ｕ字形の孔である。略Ｕ字形の連通孔２１の下端部は、照明器具１０が天井板２５に取り付けられたとき、天井板２５の裏面２５ａより上方に位置するようになっている。また、器具本体１１には、側壁に形成されたスリットから突出する取り付け具２２が、１２０°間隔で３個、設けられている。
【００１６】
器具本体１１の頂面１１ａには、天板２０に固定された平板状のスライド基板３０を介して、天板２０が隙間のない状態で固着されている。天板２０は、器具本体１１の頂面１１ａに固着された平板部２０ａと、該平板部２０ａの左右両端（図１においては、紙面に直角方向の両端）が直角に折り曲げられて形成されたリブ２０ｂとを備え、略コの字形となっている。
【００１７】
天板２０のリブ２０ｂには、左右両端が略コの字形に折り曲げられて形成された、支持板２３のリブ２３ａがねじ２９によってねじ止めされて、天板２０と支持板２３とが一体に固定されている。支持板２３は、後端部（図１において左端部）が４５°ずつ２回折り曲げられて形成された脚部２３ｂを備える。
【００１８】
このようにねじ止めされて一体に固定された器具本体１１と支持板２３は、取り付け具２２が天井板２５の裏面２５ａに取り付けられると共に、支持板２３の脚部２３ｂが天井板２５の裏面２５ａに固定されて、器具本体１１が天井穴１９に埋設されて取り付けられる。
【００１９】
器具本体１１と支持板２３とを、ねじ２９によってねじ止めして固定することにより、器具本体１１と支持板２３との相対取り付け角度を自由に設定することができる。これにより、器具本体１１の取り付け具２２が取り付けられる部分の天井板２５の厚さｔ１と、支持板２３の脚部２３ｂが取り付けられる部分の天井板２５の厚さｔ２とが、異なる厚さであっても、器具本体１１と支持板２３との角度をねじ２９で調整することによって、器具本体１１が天井板２５に対して傾くことなく、照明器具１０を平行に取り付けることができる。また、支持板２３には、安定器や節電装置などのランプ制御機器２４が固定される。
【００２０】
器具本体１１の内部には、器具本体１１の内径より小さな外径を有する略円筒形状に形成された反射板２６が取り付けられている。器具本体１１および反射板２６の下面には、ランプ１３から放射される光を透過するパネル２７が、パッキンなどを介して隙間がない状態で取り付けられている。また、反射板２６の側面には、器具本体１１の連通孔２１に対応して略Ｕ字形のランプ挿通穴２８が形成されている。  
【００２１】
図３も参照して、天板２０に固定された平板状のスライド基板３０には、ランプホルダ３１が移動可能に装着されている。ランプホルダ３１は、図２に示すように、左右方向に長軸を有する複数の長穴３２が形成されており、この長穴３２に段付きねじ３３の段部が嵌合してスライド基板３０に取り付けられる。これにより、ランプホルダ３１は、段付きねじ３３の段部によって長穴３２が案内され、図２において左右方向に移動可能となっている。
【００２２】
略７０°折り曲げ形成されたランプホルダ３１の後端部３１ａには、ソケット１２の後端部がねじ止めされて固定されている。従って、ソケット１２、換言すれば、ランプ１３の中心軸は、天板２０に対して略２０°傾斜している。スライド基板３０および段付きねじ３３によってスライド基板３０沿って移動可能に取り付けられたランプホルダ３１は、ソケット１２を移動させる移動手段１５を構成する。
【００２３】
ソケット１２は、器具本体１１の連通孔２１に対向するように器具本体１１の外側に配置されている。ソケット１２に取り付けられたランプ１３は、器具本体１１の連通孔２１および反射板２６のランプ挿通穴２８から器具本体１１内に挿入され、ランプ１３のバルブの中心が反射板２６の中心と略一致した位置に配置される。
【００２４】
ソケット１２を被覆する被覆部１４は、例えば、合成樹脂によって断面形状が略Ｕ字形に形成されており、略Ｕ字形の一方の端部（図２および図３において左側）には、側壁３４が設けられている。また、他方の端部（図２および図３において右側）は、器具本体１１の連通孔２１の形状に合わせた形状となっており、側面視において(図１参照)右斜め上方に延び、断面形状が略Ｕ字形の当接部３５が形成されている。
【００２５】
略Ｕ字形の当接部３５の下部を構成する略半円形状部には、略半円形の周溝３７を有するリブ３６が形成されている。周溝３７には、器具本体１１の連通孔２１の一部（下部）が挿入されて被覆部１４と器具本体１１とが、隙間のない状態で連結する。また、当接部３５上部の略直線部は、器具本体１１の連通孔２１の縁部に、隙間のない状態で当接する。
【００２６】
また、図４に示すように、被覆部１４の上部両端には、断面略コの字形のリブ３８が形成されており、天板２０と平行に形成されたリブ３８の上面３８ａが、隙間のない状態で天板２０の下面に当接する。また、同時に、一方の端部（図３において左端部）に形成された側壁３４の上端も天板２０の下面に隙間なく当接する。
【００２７】
これにより、被覆部１４の上端縁部の全周が天板２０の下面に密着すると共に、被覆部１４の当接部３５が器具本体１１の連通孔２１の縁部に密着し、更に、器具本体１１の開口１６にパネル２７がパッキンなどを介して固定されて、照明器具１０が密閉される。
【００２８】
また、図５に示すように、被覆部１４の側壁３４には、配線用の貫通孔４０が形成されている。貫通孔４０は、被覆部１４の内側が大径とされたテーパ孔であり、貫通孔４０の縁部の厚さが薄くなっている。これにより、貫通孔４０の内径より僅かに太い電源コード（図示せず）が挿通されると、被覆部１４の弾性によって隙間のない様態で電源コードが挿通される。
【００２９】
次に、バルブ長の異なるランプ１３が、照明器具１０に取り付けられる状態について、図６および図７に基づいて説明する。図６はバルブ長の長いランプが取り付けられた照明器具を斜め下方から見た部分破断斜視図、図７はバルブ長の短いランプが取り付けられた照明器具を斜め下方から見た部分破断斜視図である。
【００３０】
図６に示すように、バルブ長の長いランプ１３を取り付けるときには、器具本体１１に対してランプホルダ３１を図中左方向に移動させるだけで、ランプ１３のバルブ中心と、器具本体１１（反射板２６）の中心とを一致させことができる。
【００３１】
また、図７に示すように、バルブ長の短いランプ１３を取り付けるときには、器具本体１１に対してランプホルダ３１を図中右方向に移動させて、ランプ１３のバルブ中心と、器具本体１１（反射板２６）の中心とを一致させる。これによって、バルブ長の異なる複数種類のランプ１３に容易に対応して取り付けることができ、且つランプ１３を最適位置に取り付けて最適状態での照明を行うことができる。
【００３２】
なお、本発明の照明器具は、前述した実施形態に限定されるものでなく、適宜な変形，改良等が可能である。
【００３３】
例えば、前述した実施形態において、照明器具は天井埋め込み型として説明したが、これに限定されず、室内設置型など、他の形式の照明器具にも同様に適用可能であり、同様の効果を奏する。
【００３４】
その他、前述した実施形態において例示した器具本体、ランプ、ソケット、被覆部、移動手段、配線用の貫通孔等の材質，形状，寸法，形態，数，配置個所等は本発明を達成できるものであれば任意であり、限定されない。
【図面の簡単な説明】
【００３５】
【図１】本発明に係る照明器具の側面図
【図２】斜め下方から見た照明器具の部分破断斜視図
【図３】被覆部を断面にして示す照明器具の要部側面図
【図４】図１に示す円Ａで囲まれた部分を斜め下方から見た斜視図
【図５】配線用貫通孔を示す被覆部の要部断面図
【図６】バルブ長の長いランプが取り付けられた照明器具を斜め下方から見た部分破断斜視図
【図７】バルブ長の短いランプが取り付けられた照明器具を斜め下方から見た部分破断斜視図
【符号の説明】
【００３６】
１０  照明器具
１１  器具本体
１２  ソケット
１３  ランプ
１４  被覆部
１５  移動手段
３０  スライド基板（移動手段）
３１  ランプホルダ（移動手段）
２１  連通孔
４０  貫通孔
【図１】
0005172423.tif 000002
【図２】
0005172423.tif 000003
【図３】
0005172423.tif 000004
【図４】
0005172423.tif 000005
【図５】
0005172423.tif 000006
【図６】
0005172423.tif 000007
【図７】
0005172423.tif 000008